(57)【要約】【課題】操作コードの垂れ下がり量を確実に調整することの可能なブラインドを提供する。【解決手段】ブラインド１００は、プリーツスクリーン１１０と、プリーツスクリーン１１０を開閉可能とする昇降ドラム１２０と、昇降ドラム１２０に駆動力を伝達可能なプーリ１３０と、プーリ１３０を回転操作可能な操作コード１４０と、を備え、プーリ１３０は、操作コード１４０の巻取り量が多い多巻取り部である大径部１３２と、大径部１３２よりも径が小さく操作コード１４０の巻取り量が少ない少巻取り部である小径部１３４とを備え、大径部１３２には、操作コード１４０の一端部が連結され、小径部１３４には、操作コード１４０の他端部が連結され、大径部１３２と小径部１３４は、いずれか一方の巻取り部が操作コード１４０を巻取ると、他方の巻取り部は操作コード１４０を巻解くように構成される。【選択図】図１
2020105815.tif 000002
【特許請求の範囲】
【請求項１】
遮蔽材と、
前記遮蔽材を開閉可能とする駆動軸と、
前記駆動軸に駆動力を伝達可能なプーリと、
前記プーリを回転操作可能な操作コードと、
を備え、
前記プーリは、前記操作コードの巻取り量が多い多巻取り部と、前記多巻取り部よりも前記操作コードの巻取り量が少ない少巻取り部とを備え、
前記多巻取り部には、前記操作コードの一端部が連結され、
前記少巻取り部には、前記操作コードの他端部が連結され、
前記多巻取り部と前記少巻取り部は、いずれか一方の巻取り部が操作コードを巻取ると、他方の巻取り部は操作コードを巻解くことを特徴とする、ブラインド。
【請求項２】
前記多巻取り部と前記少巻取り部は、前記操作コードの巻取り方向が逆方向であることを特徴とする、請求項１に記載のブラインド。
【請求項３】
前記多巻取り部と前記少巻取り部との間には中間ギアが介在され、いずれか一方の巻取り部の回転が前記中間ギアを介して他方の巻取り部に伝達可能であることを特徴とする、請求項１又は２に記載のブラインド。
【請求項４】
前記多巻取り部が前記操作コードを巻取る回転方向は、前記駆動軸が前記遮蔽材を開放する回転方向であることを特徴とする、請求項１〜３のいずれかに記載のブラインド。
【請求項５】
前記多巻取り部が前記操作コードを巻解く回転方向は、前記駆動軸が前記遮蔽材を開放する回転方向であることを特徴とする、請求項１〜３のいずれかに記載のブラインド。
【請求項６】
前記多巻取り部は前記少巻取り部よりも前記プーリの径が大きいことを特徴とする、請求項１〜５のいずれかに記載のブラインド。
【請求項７】
前記プーリは、前記多巻取り部を有する大径プーリと、前記少巻取り部を有する小径プーリとが、並設されることを特徴とする、請求項１〜５のいずれかに記載のブラインド。
【請求項８】
前記プーリは、前記多巻取り部から前記少巻取り部が連続的に形成されるテーパー形状としたことを特徴とする、請求項１〜５のいずれかに記載のブラインド。
【請求項９】
前記プーリの外周には螺旋状の溝が設けられたことを特徴とする、請求項８に記載のブラインド。
【請求項１０】
前記多巻取り部と前記少巻取り部は前記操作コードの巻初めの径寸法は同じであり、前記多巻取り部は前記操作コードを径方向に重ねて巻取ることにより径寸法が漸増し、前記少巻取り部は前記操作コードを軸方向に並べて巻取ることにより前記多巻取り部よりも径寸法が小さくなることを特徴とする、請求項１〜５のいずれかに記載のブラインド。
【発明の詳細な説明】
【技術分野】
【０００１】
本発明は、ブラインドに関する。
【背景技術】
【０００２】
従来のブラインドとして、特開２００６−７０４４９号公報（特許文献１）に示されるものがある。同文献には、ヘッドボックスから日射遮蔽材の操作コードがループ状に垂下する日射遮蔽装置において、操作コードは、交絡性又は接着性を有する紐材であることが開示されている。
【０００３】
これによれば、ヘッドボックス又はその近辺の壁面等に鉄片等の吸着用強磁性体を配置し、その強磁性体に操作コードを磁力吸着させることで、操作コードの垂れ下がり量を小さくし、操作コードを幼児の手が届かない高さに保持できるという効果を有する。
【先行技術文献】
【特許文献】
【０００４】
【特許文献１】特開２００６−７０４４９号公報
【発明の概要】
【発明が解決しようとする課題】
【０００５】
ところで、特許文献１に開示されるような従来のブラインドでは、操作コードの垂れ下がり量を小さくするためには、操作コードを操作した後に操作コードを持ち上げてヘッドボックスに磁力吸着させる作業が必要であり、操作コードの垂れ下がり量を調整するという意味では、確実性に欠如しているという課題があった。
【０００６】
そこで本発明は、このような問題に鑑みてなされたもので、その目的とするところは、操作コードの垂れ下がり量を確実に調整することの可能なブラインドを提供することにある。
【課題を解決するための手段】
【０００７】
上記課題を解決するために、本発明によれば、遮蔽材と、前記遮蔽材を開閉可能とする駆動軸と、前記駆動軸に駆動力を伝達可能なプーリと、前記プーリを回転操作可能な操作コードと、を備え、前記プーリは、前記操作コードの巻取り量が多い多巻取り部と、前記多巻取り部よりも前記操作コードの巻取り量が少ない少巻取り部とを備え、前記多巻取り部には、前記操作コードの一端部が連結され、前記少巻取り部には、前記操作コードの他端部が連結され、前記多巻取り部と前記少巻取り部は、いずれか一方の巻取り部が操作コードを巻取ると、他方の巻取り部は操作コードを巻解くことを特徴とする、ブラインドが提供される。
【０００８】
かかる構成によれば、多巻取り部から垂れ下がる側の操作コードを引くと、操作コードの他端側が少巻取り部に巻取られて垂れ下がる操作コードの長さが長くなり、少巻取り部から垂れ下がる側の操作コードを引くと、操作コードの一端側が多巻取り部に巻取られて垂れ下がる操作コードの長さが短くなる。操作コードを引くだけで操作コードの垂れ下がり量を可変できる。このようにして、操作コードの垂れ下がり量を迅速且つ確実に調整することができる。
【０００９】
本発明は様々な応用が可能である。例えば、前記多巻取り部と前記少巻取り部は、前記操作コードの巻取り方向が逆方向であるようにしてもよい。操作コードを巻付ける方向を同じ方向にすることができるため、多巻取り部と少巻取り部からヘッドボックスなどの操作コードの導出口までの操作コードの配回しを同じにすることができる。このため、配回しが容易になる。
【００１０】
また、前記多巻取り部と前記少巻取り部との間には中間ギアが介在され、いずれか一方の巻取り部の回転が前記中間ギアを介して他方の巻取り部に伝達可能であるようにしてもよい。中間ギアのギア比を変えることで、多巻取り部と少巻取り部の回転速度を別々の任意の速度に変更することができる。また、多巻取り部と少巻取り部の回転方向を逆方向にすることができる。
【００１１】
また、前記多巻取り部が前記操作コードを巻取る回転方向は、前記駆動軸が前記遮蔽材を開放する回転方向であるようにすることができる。多巻取り部が操作コードを巻取る回転方向が、駆動軸が遮蔽材を開放する（上昇する）回転方向であるため、遮蔽材を開放したときに操作コードの垂れ下がり量を小さくできる。よって、ブラインドを設置した開口部の開放量を大きくでき、操作コードが垂れ下がらないことで安全性や美観を向上できる。
【００１２】
また、前記多巻取り部が前記操作コードを巻解く回転方向は、前記駆動軸が前記遮蔽材を開放する回転方向であるようにすることができる。多巻取り部が操作コードを巻解く回転方向が、駆動軸が遮蔽材を開放する（上昇する）回転方向であるため、操作荷重を軽減できる。
【００１３】
また、前記多巻取り部は前記少巻取り部よりも前記プーリの径を大きくしてもよい。かかる構成によれば、プーリに巻取り径の異なる多巻取り部と少巻取り部を設けることにより、１つのプーリの回転方向を変えるだけで、操作コードの垂れ下がり量を変更することができる。
【００１４】
また、前記プーリは、前記多巻取り部を有する大径プーリと、前記少巻取り部を有する小径プーリとが、並設されるようにしてもよい。かかる構成によれば、異なる径からなる大径プーリと小径プーリを並設することで、プーリを簡易な構成とすることができる。
【００１５】
また、前記プーリは、前記多巻取り部から前記少巻取り部が連続的に形成されるテーパー形状としてもよい。かかる構成によれば、プーリをテーパー形状としたことで、１つのプーリにて操作コードの垂れ下がり量を調整することができる。
【００１６】
さらに、プーリをテーパー形状とした際には、プーリの外周に螺旋状の溝を設けてもよい。かかる構成によれば、操作コードのずれを防止できる。
【００１７】
また、前記多巻取り部と前記少巻取り部は前記操作コードの巻初めの径寸法は同じであり、前記多巻取り部は前記操作コードを径方向に重ねて巻取ることにより径寸法が漸増し、前記少巻取り部は前記操作コードを軸方向に並べて巻取ることにより前記多巻取り部よりも径寸法が小さくなるようにしてもよい。かかる構成によれば、径寸法の同じ巻取り部で多巻取り部と少巻取り部を構成することができるため、簡単な構成のプーリで操作コードの垂れ下がり量を調整することができる。
【００１８】
なお、駆動軸は、遮蔽材を開閉するための昇降コードの一端が連結される巻取ドラムとしてもよい。本発明をスラットやスクリーンの昇降を行うベネシャンブラインド、バーチカルブラインド、プリーツスクリーン、ハニカムスクリーン又はローマンシェード等に適用できる。また、駆動軸は、遮蔽材の一端が巻取り及び巻解き可能に連結される巻取パイプとしてもよい。本発明をロールスクリーンやローラーシャッター等に適用できる。
【発明の効果】
【００１９】
本発明によれば、操作コードの垂れ下がり量を確実に調整することの可能なブラインドを提供することができる。本発明のその他の効果については、後述する発明を実施するための形態においても説明する。
【図面の簡単な説明】
【００２０】
【図１】第１の実施形態のブラインド１００の概略正面図である。
【図２】プーリ１３０の構成を説明するための図であり、同軸にある大径部１３２と小径部１３４を左右に配置して示し、小径部１３４に操作コード１４０を巻き取った状態である。
【図３】プーリ１３０の構成を説明するための図であり、同軸にある大径部１３２と小径部１３４を左右に配置して示し、大径部１３２に操作コード１４０を巻き取った状態である。
【図４】ブラインド１００の動作を説明するための図である。
【図５】第２の実施形態のブラインド２００が下降した状態を示す概略正面図である。
【図６】ブラインド２００が上昇した状態を示す概略正面図である。
【図７】第３の実施形態のブラインド３００が下降した状態を示す概略正面図である。
【図８】ブラインド３００が上昇した状態を示す概略正面図である。
【図９】プーリ３３０に螺旋状の溝３３０ａを設けた例を示す概略図である。
【図１０】第４の実施形態のブラインド４００が下降した状態を示す概略正面図である。
【図１１】ブラインド４００が上昇した状態を示す概略正面図である。
【図１２】第５の実施形態のブラインド５００が下降した状態を示す概略正面図である。
【図１３】ブラインド５００が上昇した状態を示す概略正面図である。
【図１４】第６の実施形態のブラインドのプーリ６３０を示す概略図であり、（ａ）は、第１巻取部６３２に操作コード６４０を巻き取った状態を示し、（ｂ）は、第２巻取部６３４に操作コード６４０を巻き取った状態を示す。
【図１５】第７の実施形態のブラインドのプーリ７３０を示す概略図であり、（ａ）は分解された状態を示し、（ｂ）は組み立てられた状態を示す。
【図１６】プーリ７３０の動作を説明するための図であり、（ａ）は、第１プーリ７３２に操作コード７４０を巻き取った状態を示し、（ｂ）は、第２プーリ７３４に操作コード７４０を巻き取った状態を示す。
【発明を実施するための形態】
【００２１】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２２】
（第１の実施形態）
第１の実施形態に係るブラインド１００の構成について、図１及び図２を参照しながら説明する。図１は、本実施形態のブラインド１００の概略正面図である。
【００２３】
ブラインド１００は、図１に示したように、プリーツスクリーン（遮蔽材）１１０と、プリーツスクリーン１１０を開閉可能とする昇降ドラム（駆動軸）１２０と、昇降ドラム１２０に駆動力を伝達可能なプーリ１３０と、プーリ１３０を回転操作可能な操作コード１４０と、を備えて構成される。以下、本実施形態の各構成について説明する。
【００２４】
（プリーツスクリーン１１０）
プリーツスクリーン１１０は、開口部を閉鎖するものである。プリーツスクリーン１１０は、図１に示したように、上端がヘッドボックス１５０に連結されている。プリーツスクリーン１１０は、一定間隔で複数のプリーツが形成されており、プリーツを畳み上げることにより開口部を開放し、プリーツを展開することにより開口部を閉鎖する。プリーツスクリーン１１０の下端にはボトムレール１６０が設けられている。
【００２５】
（昇降ドラム１２０）
昇降ドラム１２０は、プリーツスクリーン１１０を開閉可能とするものである。昇降ドラム１２０は、図１に示したように、ドラム受け１２２によってヘッドボックス１５０内に回転可能に配置されている。昇降ドラム１２０には、ヘッドボックス１５０内に長手方向ほぼ全長にわたって設けられるシャフト１７０が一体に回転するように挿通している。シャフト１７０の一端はプーリ１３０に一体回転するように連結されている。よって、シャフト１７０を介してプーリ１３０の回転が昇降ドラム１２０に伝達される。
【００２６】
昇降ドラム１２０には、プリーツスクリーン１１０を昇降する昇降コード１８０の上端が巻取り及び巻解き可能に連結されている。昇降コード１８０の下端は、プリーツスクリーン１１０の各プリーツを挿通してボトムレール１６０に連結されている。
【００２７】
（プーリ１３０）
プーリ１３０は、昇降ドラム１２０を回転操作するものである。プーリ１３０について、図２及び図３をさらに参照しながら説明する。図２は、プーリ１３０の構成を説明するための図であり、同軸にある大径部１３２と小径部１３４を左右に配置して示し、小径部１３４に操作コード１４０を巻き取った状態である。図３は、プーリ１３０の構成を説明するための図であり、同軸にある大径部１３２と小径部１３４を左右に配置して示し、大径部１３２に操作コード１４０を巻き取った状態である。
【００２８】
プーリ１３０は、図１に示されるように、ヘッドボックス１５０の一端に配置されており、操作コード１４０によって回転が操作される。プーリ１３０は、操作コード１４０の巻取り量が多い多巻取り部である大径部１３２と、大径部１３２よりも径が小さく操作コード１４０の巻取り量が少ない少巻取り部である小径部１３４とが並設されて構成される。大径部１３２と小径部１３４には、図２に示したように、シャフト１７０が一体に回転するように挿通している。なお、以下の各実施形態においても本実施形態と同様に、大径部とは操作コードの巻取り量が多いプーリの部分をいい、小径部とは多巻取り部よりも操作コードの巻取り量が少ないプーリの部分をいう。
【００２９】
大径部１３２には、操作コード１４０の一端部が連結され、小径部１３４には、操作コード１４０の他端部が連結されている。大径部１３２と小径部１３４は、操作コード１４０の巻取り方向が逆方向である。よって、大径部１３２から操作コード１４０が巻解かれるときには小径部１３４に操作コード１４０が巻き取られ、大径部１３２に操作コード１４０が巻き取られるときには、小径部１３４から操作コード１４０が巻解かれることになる。一体回転する大径部１３２と小径部１３４の円周の長さの相違によって、大径部１３２と小径部１３４とでは操作コード１４０が巻取られる長さが異なることになる。
【００３０】
大径部１３２から操作コード１４０が巻解かれ小径部１３４に操作コード１４０が巻き取られるときは、図２に示したように、操作コード１４０のプーリ１３０からの垂れ下がる長さが長くなる。一方、大径部１３２に操作コード１４０が巻き取られ、小径部１３４から操作コード１４０が巻解かれるときは、図３に示したように、操作コード１４０のプーリ１３０からの垂れ下がる長さが短くなる。
【００３１】
以上、本実施形態のブラインド１００の構成について説明した。以下、ブラインド１００の動作について、図４をさらに参照しながら説明する。図４は、ブラインド１００の動作を説明するための図である。
【００３２】
プリーツスクリーン１１０を展開する動作について説明する。操作コード１４０の大径部１３２から垂下している部分を引き下ろす。すると、図１に示したように、シャフト１７０を介して昇降ドラム１２０が昇降コード１８０を巻解き、ボトムレール１６０が下降する。よって、プリーツスクリーン１１０が展開する。
【００３３】
このとき、大径部１３２から操作コード１４０が巻解かれながら、同時に小径部１３４に操作コード１４０が巻き取られる。プリーツスクリーン１１０が最も下降した位置まで展開すると、操作コード１４０は、図２に示したように、大径部１３２から完全に巻解かれ、小径部１３４には巻き取られた状態になる。大径部１３２と小径部１３４の円周の長さの相違により、操作コード１４０は、図１に示したように、プーリ１３０からの垂れ下がり量が大きくなる。
【００３４】
プリーツスクリーン１１０を畳上げる動作について説明する。操作コード１４０の小径部１３４から垂下している部分を引き下ろす。すると、シャフト１７０を介して昇降ドラム１２０が昇降コード１８０を巻取り、ボトムレール１６０が上昇する。よって、図４に示したように、プリーツスクリーン１１０が畳上げられる。
【００３５】
このとき、図３に示したように、小径部１３４から操作コード１４０が巻解かれながら、同時に大径部１３２に操作コード１４０が巻き取られる。プリーツスクリーン１１０が最も上昇した位置まで畳上げられると、操作コード１４０は、図３に示したように、大径部１３２に完全に巻き取られ、小径部１３４から巻解かれた状態になる。一体回転する大径部１３２と小径部１３４の円周の長さの相違により、操作コード１４０は、図４に示したように、プーリ１３０からの垂れ下がり量が小さくなる。よって、ブラインド１００の開放量が大きくなる。
【００３６】
（第１の実施形態の効果）
以上説明したように、本実施形態によれば、大径部１３２から垂れ下がる側の操作コード１４０を引くと、操作コード１４０の他端側が小径部１３４に巻取られて垂れ下がる操作コード１４０の長さが長くなり、小径部１３４から垂れ下がる側の操作コード１４０を引くと、操作コード１４０の一端側が大径部１３２に巻取られて垂れ下がる操作コード１４０の長さが短くなり、操作コード１４０を引くだけで操作コード１４０の垂れ下がり量を可変できる。よって、操作コード１４０の垂れ下がり量の可変を迅速且つ確実に調整することができる。
【００３７】
大径部１３２が操作コード１４０を巻取る回転方向が、昇降ドラム１２０がプリーツスクリーン１１０を開放する（上昇する）回転方向であるため、プリーツスクリーン１１０を開放したときに操作コード１４０の垂れ下がり量を小さくできる。よって、ブラインド１００を設置した開口部の開放量を大きくでき、操作コード１４０が垂れ下がらないことで安全性や美観を向上できる。
【００３８】
（第２の実施形態）
本実施形態に係るブラインド２００について、図５及び図６を参照しながら説明する。図５は、本実施形態のブラインド２００が下降した状態を示す概略正面図である。図６は、ブラインド２００が上昇した状態を示す概略正面図である。本実施形態は、大径部２３２と小径部２３４の操作コード２４０の巻取り方向が第１の実施形態と異なるものである。本実施形態では、上記第１の実施形態と異なる点を中心に説明する。実質的に同一の機能構成を有する構成要素については、同一の符号を付することにより重複説明を省略する。
【００３９】
本実施形態のプリーツスクリーン２１０、昇降ドラム２２０、プーリ２３０、操作コード２４０、ヘッドボックス２５０、ボトムレール２６０、シャフト２７０、昇降コード２８０は、それぞれ上記第１の実施形態のプリーツスクリーン１１０、昇降ドラム１２０、プーリ１３０、操作コード１４０、ヘッドボックス１５０、ボトムレール１６０、シャフト１７０、昇降コード１８０に対応するため、説明を省略する。
【００４０】
本実施形態のブラインド２００について、図５及び図６を参照しながら説明する。プーリ２３０の大径部２３２と小径部２３４は、操作コード２４０の巻取り及び巻解き方向が、第１の実施形態のプーリ１３０の大径部１３２と小径部１３４の操作コード２４０の巻取り及び巻解き方向とは逆方向である。
【００４１】
よって、図５に示したように、大径部２３２に操作コード２４０が巻き取られ、小径部２３４から操作コード２４０が巻解かれたときに、昇降ドラム２２０が昇降コード２８０を巻解く方向に回転する。このため、ボトムレール２６０が下降してプリーツスクリーン２１０が展開する。一体回転する大径部２３２と小径部２３４の円周の長さの相違により、操作コード２４０は、プーリ２３０からの垂れ下がり量が小さくなる。
【００４２】
一方、図６に示したように、大径部２３２から操作コード２４０が巻解かれ、小径部２３４に操作コード２４０が巻き取られたときに、昇降ドラム２２０が昇降コード２８０を巻取る方向に回転する。このため、ボトムレール２６０が上昇してプリーツスクリーン２１０が畳上げられる。一体回転する大径部２３２と小径部２３４の円周の長さの相違により、操作コード２４０は、プーリ２３０からの垂れ下がり量が大きくなる。
【００４３】
（第２の実施形態の効果）
以上説明したように、本実施形態によれば、大径部２３２が操作コード２４０を巻解く回転方向が、昇降ドラム２２０がプリーツスクリーン２１０を開放する（上昇する）回転方向であるため、操作荷重を軽減できる。
【００４４】
（第３の実施形態）
本実施形態に係るブラインド３００について、図７及び図８を参照しながら説明する。図７は、本実施形態のブラインド３００が下降した状態を示す概略正面図である。図８は、ブラインド３００が上昇した状態を示す概略正面図である。本実施形態は、プーリ３３０の構成が第１の実施形態と異なるものである。本実施形態では、上記第１の実施形態と異なる点を中心に説明する。実質的に同一の機能構成を有する構成要素については、同一の符号を付することにより重複説明を省略する。
【００４５】
本実施形態のプリーツスクリーン３１０、昇降ドラム３２０、プーリ３３０、操作コード３４０、ヘッドボックス３５０、ボトムレール３６０、シャフト３７０、昇降コード３８０は、それぞれ上記第１の実施形態のプリーツスクリーン１１０、昇降ドラム１２０、プーリ１３０、操作コード１４０、ヘッドボックス１５０、ボトムレール１６０、シャフト１７０、昇降コード１８０に対応するため、説明を省略する。
【００４６】
本実施形態のブラインド３００について、図７及び図８を参照しながら説明する。プーリ３３０は、図７に示したように、大径部３３２から小径部３３４が連続的に形成されるテーパー形状である。操作コード３４０の両端部は、プーリ３３０の両端部にそれぞれ連結されている。すなわち、操作コード３４０の一方の端部が大径部３３２の最も径が大きい部分に連結されており、他方の端部が小径部３３４の最も径が小さい部分に連結されている。
【００４７】
よって、図７に示したように、小径部３３４に操作コード３４０が巻き取られ、大径部３３２から操作コード２４０が巻解かれたときに、昇降ドラム３２０が昇降コード３８０を巻解く方向に回転する。このため、ボトムレール３６０が下降してプリーツスクリーン３１０が展開する。一体回転する大径部３３２と小径部３３４の円周の長さの相違により、操作コード３４０は、プーリ３３０からの垂れ下がり量が大きくなる。
【００４８】
一方、図８に示したように、小径部３３４から操作コード３４０が巻解かれ、大径部３３２に操作コード３４０が巻き取られたときに、昇降ドラム３２０が昇降コード３８０を巻取る方向に回転する。このため、ボトムレール３６０が上昇してプリーツスクリーン３１０が畳上げられる。一体回転する大径部３３２と小径部３３４の円周の長さの相違により、操作コード３４０は、図８に示したように、プーリ３３０からの垂れ下がり量が小さくなる。よって、ブラインド３００の開放量が大きくなる。
【００４９】
また、本実施形態では、プーリ３３０の外周に、図９に示したように、螺旋状の溝３３０ａを設けてもよい。図９は、プーリ３３０に螺旋状の溝３３０ａを設けた例を示す概略図である。プーリ３３０の外周に螺旋状の溝３３０ａを設けることにより、プーリ３３０に巻き取られた操作コード３４０が溝３３０ａに収容され、テーパーに沿ってずれるように移動してしまうことが防止される。
【００５０】
（第３の実施形態の効果）
以上説明したように、本実施形態によれば、プーリ３３０をテーパー形状としたことで、１つのプーリ３３０にて操作コード３４０の垂れ下がり量を調整することができる。
【００５１】
さらに、プーリ３３０の外周に螺旋状の溝３３０ａを設けたことにより、操作コード３４０のずれを防止できる。
【００５２】
（第４の実施形態）
本実施形態に係るブラインド４００について、図１０を参照しながら説明する。図１０は、第４の実施形態のブラインド４００が下降した状態を示す概略正面図である。本実施形態は、ブラインド４００をロールスクリーンとした点が第１の実施形態と異なるものである。本実施形態では、上記第１の実施形態と異なる点を中心に説明する。実質的に同一の機能構成を有する構成要素については、同一の符号を付することにより重複説明を省略する。
【００５３】
本実施形態のプーリ４３０、操作コード４４０は、それぞれ上記第１の実施形態のプーリ１３０、操作コード１４０に対応するため、説明を省略する。
【００５４】
ブラインド４００は、図１０に示したように、ロールスクリーンであり、遮蔽材はスクリーン４１０であり、駆動軸が巻取パイプ４２０である。
【００５５】
スクリーン４１０は、図１０に示したように、平面のシート状であり、上端が巻取パイプ４２０に巻取り及び巻解き可能に連結されている。スクリーン４１０は、巻取パイプ４２０に巻取られることにより上昇し、巻取パイプ４２０から巻解かれることにより下降する。スクリーン４１０の下端にはウエイトバー４１２が設けられている。
【００５６】
巻取パイプ４２０は、図１０に示したように、ブラインド４００を窓枠などに取り付けるセットフレーム４５０の両端に設けられたサイドプレート４５２に回転可能に支持されている。巻取パイプ４２０の一端とサイドプレート４５２との間には巻取パイプ４２０を回転駆動するプーリ４３０が配置される。巻取パイプ４２０内には、スクリーン４１０の自重による降下を防止するためのクラッチユニット４２２が設けられている。
【００５７】
以上、本実施形態のブラインド４００の構成について説明した。以下、ブラインド４００の動作について、図１１をさらに参照しながら説明する。図１１は、ブラインド４００が上昇した状態を示す概略正面図である。
【００５８】
スクリーン４１０を下降させる動作について説明する。操作コード４４０の大径部４３２から垂下している部分を引き下ろす。すると、クラッチユニット４２２が巻取パイプ４２０を回転可能な状態にする。よって、操作コード４４０を引いた量だけプーリ４３０が回転し、その回転が巻取パイプ４２０に伝達され、自重によりスクリーン４１０及びウエイトバー４１２が下降する。
【００５９】
このとき、第１の実施形態のプーリ１３０と同様に、大径部４３２から操作コード４４０が巻解かれながら、同時に小径部４３４に操作コード４４０が巻き取られる。そして、スクリーン４１０が最も下降すると、操作コード４４０は、図１０に示したように、大径部４３２から完全に巻解かれ、小径部４３４に巻き取られた状態になり、プーリ４３０からの垂れ下がり量が大きくなる。
【００６０】
スクリーン４１０を上昇させる動作について説明する。操作コード４４０の小径部４３４から垂下している部分を引き下ろす。すると、プーリ４３０から巻取パイプ４２０に回転が伝達され、巻取パイプ４２０にスクリーン４１０が巻き取られる。よって、スクリーン４１０及びウエイトバー４１２が上昇する。
【００６１】
このとき、図１１に示したように、小径部４３４から操作コード４４０が巻解かれながら、同時に大径部４３２に操作コード４４０が巻き取られる。そして、スクリーン４１０が最も上昇すると、操作コード４４０は、大径部４３２に完全に巻き取られ、小径部４３４から巻解かれた状態になり、プーリ４３０からの垂れ下がり量が小さくなる。よって、ブラインド４００の開放量が大きくなる。
【００６２】
（第４の実施形態の効果）
以上説明したように、本実施形態によれば、スクリーン４１０が最も上昇すると、操作コード４４０は、大径部４３２に完全に巻き取られ、小径部４３４から巻解かれた状態になり、プーリ４３０からの垂れ下がり量が小さくなる。よって、ブラインド４００の開放量が大きくなる。
【００６３】
（第５の実施形態）
本実施形態に係るブラインド５００について、図１２を参照しながら説明する。図１２は、第５の実施形態のブラインド５００が下降した状態を示す概略正面図である。本実施形態は、巻取パイプ５２０の構成が第４の実施形態と異なるものである。本実施形態では、上記第４の実施形態と異なる点を中心に説明する。実質的に同一の機能構成を有する構成要素については、同一の符号を付することにより重複説明を省略する。
【００６４】
本実施形態のスクリーン５１０、ウエイトバー５１２、プーリ５３０、大径部５３２、小径部５３４、操作コード５４０、セットフレーム５５０、サイドプレート５５２は、それぞれ上記第４の実施形態のスクリーン４１０、ウエイトバー４１２、プーリ４３０、大径部４３２、小径部４３４、操作コード４４０、セットフレーム４５０、サイドプレート４５２に対応するため、説明を省略する。
【００６５】
本実施形態の巻取パイプ５２０には、図１２に示したように、第４の実施形態の巻取パイプ４２０に巻取スプリング５２４とブレーキ５２６とをさらに設けたものである。巻取スプリング５２４は、巻取パイプ５２０内のプーリ５３０が設けられている端部とは反対側の端部に配置されており、スクリーン５１０を巻取る方向の力を巻取パイプ５２０に付勢する。ブレーキ５２６は、巻取スプリング５２４に隣接して設けられており、巻取スプリング５２４による巻取パイプ５２０の回転速度を減速する。
【００６６】
以上、本実施形態のブラインド５００の構成について説明した。以下、ブラインド５００の動作について、図１３をさらに参照しながら説明する。図１３は、ブラインド５００が上昇した状態を示す概略正面図である。
【００６７】
スクリーン５１０を下降させる動作について説明する。図１３に示す状態から操作コード５４０の小径部５３４から垂下している部分を引き下ろすと、大径部５３２に操作コード５４０が巻き取られ、小径部５３４から操作コード５４０が巻解かれる。すると、クラッチユニット５２２が巻取パイプ５２０を回転可能な状態にする。よって、操作コード５４０を引いた量だけプーリ５３０が回転し、その回転が巻取パイプ５２０に伝達され、巻取スプリング５２４の付勢力に抗してスクリーン５１０及びウエイトバー５１２が下降する。
【００６８】
そして、図１２に示したように、スクリーン５１０が最も下降すると、操作コード５４０は、小径部５３４から完全に巻解かれ、大径部５３２に巻き取られた状態になり、プーリ５３０からの垂れ下がり量が小さくなる。
【００６９】
スクリーン５１０を上昇させる動作について説明する。ウエイトバー５１２を若干引き下げるか、操作コード５４０の小径部５３４から垂下している部分を若干引き下ろして、巻取パイプ５２０をスクリーン５１０を巻解く方向に少し回転させる。すると、クラッチユニット５２２が巻取パイプ５２０を回転可能な状態にする。よって、巻取スプリング５２４の付勢力により巻取パイプ５２０が回転してスクリーン５１０が巻取パイプ５２０に巻き取られる。
【００７０】
このとき、プーリ５３０は、図１３に示したように、大径部５３２から操作コード５４０が巻解かれ、小径部５３４に操作コード５４０が巻き取られる。そして、スクリーン５１０が最も上昇すると、操作コード５４０は、小径部５３４に完全に巻き取られ、大径部５３２から巻解かれた状態になり、プーリ５３０からの垂れ下がり量が大きくなる。
【００７１】
（第６の実施形態）
本実施形態に係るブラインドについて、図１４を参照しながら説明する。図１４は、第６の実施形態のブラインドのプーリ６３０を示す概略図であり、（ａ）は、第１巻取部６３２に操作コード６４０を巻き取った状態を示し、（ｂ）は、第２巻取部６３４に操作コード６４０を巻き取った状態を示す。本実施形態は、プーリ６３０の構成が第１の実施形態と異なるものである。本実施形態では、上記第１の実施形態と異なる点を中心に説明する。実質的に同一の機能構成を有する構成要素については、同一の符号を付することにより重複説明を省略する。
【００７２】
プーリ６３０は、図１４に示したように、第１の実施形態のプーリ１３０の大径部１３２と小径部１３４に代えて、同径の第１巻取部６３２と第２巻取部６３４とを左右に並設したものである。第１巻取部６３２と第２巻取部６３４とは軸方向の幅が異なっている。
【００７３】
第１巻取部６３２は、図１４（ａ）に示したように、１本分の操作コード６４０の幅であり、操作コード６４０が径方向に重なって巻き取られる。このため、操作コード６４０を巻取るにつれて第１巻取部６３２の巻径が大きくなっていく。よって、第１巻取部６３２は、操作コード６４０の巻取り量が多い多巻取り部であり、第１の実施形態の大径部１３２と同様の作用を有する。
【００７４】
一方、第２巻取部６３４は、図１４（ｂ）に示したように、操作コード６４０が軸方向に隣り合って巻き取られる幅であり、巻径は大きくならない。よって、第２巻取部６３４は、第１巻取部６３２よりも操作コード６４０の巻取り量が少ない少巻取り部であり、第１の実施形態の小径部１３４と同様の作用を有する。
【００７５】
よって、操作コード６４０は、図１４（ａ）に示したように、第１巻取部６３２に巻き取られ、第２巻取部６３４から完全に巻解かれた状態では、プーリ６３０からの垂れ下がり量が小さくなる。一方、操作コード６４０は、図１４（ｂ）に示したように、第２巻取部６３４に巻き取られ、第１巻取部６３２から完全に巻解かれた状態では、プーリ６３０からの垂れ下がり量が大きくなる。
【００７６】
（第６の実施形態の効果）
第１巻取部６３２と第２巻取部６３４は操作コード６４０の巻初めの径寸法は同じであり、第１巻取部６３２は操作コード６４０を径方向に重ねて巻取ることにより径寸法が漸増して多巻取り部を構成し、第２巻取部６３４は操作コード６４０を軸方向に並べて巻取ることにより多巻取り部よりも径寸法が小さくなる少巻取り部を構成する。このように、径寸法の同じ第１巻取部６３２と第２巻取部６３４によって、多巻取り部と少巻取り部を構成することができるため、簡単な構成のプーリ６３０で操作コード６４０の垂れ下がり量を調整することができる。
【００７７】
（第７の実施形態）
本実施形態に係るブラインドについて、図１５を参照しながら説明する。図１５は、第７の実施形態のブラインドのプーリ７３０を示す概略図であり、（ａ）は分解された状態を示し、（ｂ）は組み立てられた状態を示す。本実施形態は、プーリ７３０の構成が第１の実施形態と異なるものである。本実施形態では、上記第１の実施形態と異なる点を中心に説明する。実質的に同一の機能構成を有する構成要素については、同一の符号を付することにより重複説明を省略する。
【００７８】
プーリ７３０は、図１５に示したように、第１の実施形態のプーリ１３０の大径部１３２と小径部１３４に代えて、同径の第１プーリ７３２と第２プーリ７３４を左右に並設し、第１プーリ７３２と第２プーリ７３４との間に中間ギア７９０を介在し、いずれか一方のプーリの回転が中間ギア７９０を介して他方のプーリに伝達可能としたものである。
【００７９】
第１プーリ７３２は、図１５（ａ）に示したように、操作コード７４０の巻取り量が多い多巻取り部である。第１プーリ７３２の第２プーリ７３４と対向する面から、中間ギア７９０の太陽歯車７９２が一体に回転するように突出している。また、第１プーリ７３２の第２プーリ７３４と対向する面の反対の面から、シャフト７２０が一体に回転するように軸心から突出している。
【００８０】
第２プーリ７３４は、図１５（ａ）に示したように、操作コード７４０の巻取り量が少ない少巻取り部である。第２プーリ７３４の操作コード７４０が巻き付く径寸法は、第１プーリ７３２と同じである。また、第２プーリ７３４の内周面には中間ギア７９０の内歯車７９４が設けられている。
【００８１】
中間ギア７９０は、第１プーリ７３２及び第２プーリ７３４のうちいずれか一方のプーリの回転を他方のプーリに伝達可能としたものである。中間ギア７９０は、図１５（ａ）に示したように、第１プーリ７３２と第２プーリ７３４との間に介在される。中間ギア７９０は、太陽歯車７９２と、内歯車７９４と、遊星歯車７９６と、遊星キャリア７９８と、から構成される。
【００８２】
太陽歯車７９２は、前述のように第１プーリ７３２の軸心に設けられる。また、内歯車７９４は、前述のように第２プーリ７３４の内周面に設けられる。遊星歯車７９６は、等間隔に３つ配置されており、それぞれが遊星キャリア７９８に回転可能に支持される。遊星キャリア７９８は図示していないヘッドボックスの端部や操作ユニットカバー等の固定部に固定される。
【００８３】
第１プーリ７３２及び第２プーリ７３４は、図１５（ｂ）に示したように、隣接して配置される。また、第１プーリ７３２、第２プーリ７３４及び中間ギア７９０は、３つの遊星歯車７９６の中心に太陽歯車７９２が配置されて互いに噛み合い、３つの遊星歯車が内歯車７９４にそれぞれ噛み合うように組付けられる。よって、中間ギア７９０によって第１プーリ７３２と第２プーリ７３４は逆回転する。さらに、中間ギア７９０のギア比により、第１プーリ７３２の回転速度に比べて第２プーリ７３４の回転速度が小さいため、第１プーリ７３２は第２プーリ７３４に比べて操作コード７４０を多く巻き取ることができる。また、第１プーリ７３２と第２プーリ７３４には、巻き付ける方向が同じになるように操作コード７４０の端部がそれぞれ連結されている。
【００８４】
以上、本実施形態のブラインドのプーリ７３０の構成について説明した。以下、プーリ７３０の動作について、図１６を参照しながら説明する。図１６は、プーリ７３０の動作を説明するための図であり、（ａ）は、第１プーリ７３２に操作コード７４０を巻き取った状態を示し、（ｂ）は、第２プーリ７３４に操作コード７４０を巻き取った状態を示す。
【００８５】
まず、第１プーリ７３２に操作コード７４０を巻取り、第２プーリ７３４から操作コード７４０を巻解く場合について説明する。図１６（ａ）に示したように、第２プーリ７３４に巻取られている操作コード７４０を引き下ろすと、第２プーリ７３４が操作コード７４０を巻解く方向（図中の矢印Ｂ方向）に回転し、操作コード７４０を巻解く。第２プーリ７３４の回転は、中間ギア７９０を介して第１プーリ７３２に逆方向（図中の矢印Ａ方向）の回転として、また、第２プーリ７３４の回転速度よりも高速の回転として伝達される。よって、第１プーリ７３２が操作コード７４０を巻取る量が、第２プーリ７３４が操作コード７４０を巻解く量よりも多くなる。このため、操作コード７４０の垂れ下がり量が短くなる。
【００８６】
次に、第１プーリ７３２から操作コード７４０を巻解き、第２プーリ７３４に操作コード７４０を巻取る場合について説明する。図１６（ｂ）に示したように、第１プーリ７３２に巻取られている操作コード７４０を引き下ろすと、第１プーリ７３２が操作コード７４０を巻解く方向（図中の矢印Ｂ）方向に回転し、操作コード７４０を巻解く。第１プーリ７３２の回転は、中間ギア７９０を介して第２プーリ７３４に逆方向（図中の矢印Ａ方向）の回転として、また、第１プーリ７３２の回転速度よりも低速の回転として伝達される。よって、第１プーリ７３２が操作コード７４０を巻解く量が、第２プーリ７３４が操作コード７４０を巻取る量よりも多くなる。このため、操作コード７４０の垂れ下がり量が長くなる。
【００８７】
（第７の実施形態の効果）
以上説明したように、本実施形態によれば、中間ギア７９０のギア比を変えることで、第１プーリ７３２と第２プーリ７３４の回転速度を別々の任意の速度に変更することができる。
【００８８】
また、中間ギア７９０によって第１プーリ７３２と第２プーリ７３４の回転方向を逆にすることにより、操作コード７４０を巻付ける方向を同じ方向にすることができる。よって、第１プーリ７３２と第２プーリ７３４からヘッドボックスの導出口までの操作コード７４０の配回しを同じにすることができるため、配回しが容易になる。
【００８９】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００９０】
例えば、上記第１の実施形態では、１つのプーリ１３９に大径部１３２と小径部１３４とを設けたが、本発明はこの例に限定されない。操作コード１４０の垂れ下がり量を可変にできれば、プーリは、大径部を有する大径プーリと、小径部を有する小径プーリの２つのプーリを並設して構成してもよい。かかる構成によれば、異なる径からなる大径プーリと小径プーリを並設することで、プーリを簡易な構成とすることができる。なお、第２〜第６の実施形態においても同様の構成としてもよい。
【００９１】
また、上記第３の実施形態では、プーリ３３０をテーパー形状としたが、本発明はこの例に限定されず、大径部から小径部が連続的に形成される構成であればよい。例えば、階段形状であってもよい。
【００９２】
また、上記第３の実施形態では、プーリ３３０に螺旋状の溝３３０ａを設けたが、本発明はこの例に限定されず、溝を設けない形状としてもよい。また、操作コードのずれを防止するために、摩擦の大きな素材でプーリを構成してもよい。
【００９３】
以上説明した実施形態・応用例・変形例等は、適宜組み合わせて実施することができる。
【符号の説明】
【００９４】
１００、２００、３００、４００、５００  ブラインド
１１０、２１０、３１０  プリーツスクリーン（遮蔽材）
１２０、２２０、３２０  昇降ドラム（駆動軸）
１３０、２３０、３３０、４３０、５３０、６３０プーリ
１３２、２３２、３３２、４３２、５３２  大径部（多巻取り部）
１３４、２３４、３３４、４３４、５３４  小径部（少巻取り部）
１４０、２４０、３４０、４４０、５４０、６４０、７４０  操作コード
１５０、２５０、３５０  ヘッドボックス
１６０、２６０、３６０  ボトムレール
１７０、２７０、３７０、７２０  シャフト
１８０、２８０、３８０  昇降コード
４１０、５１０  スクリーン（遮蔽材）
４１２、５１２  ウエイトバー
４２０、５２０  巻取パイプ（駆動軸）
４２２、５２２  クラッチユニット
５２４  巻取スプリング
５２６  ブレーキ
４５０、５５０  セットフレーム
４５２、５５２  サイドプレート
６３２  第１巻取部（多巻取り部）
６３４  第２巻取部（少巻取り部）
７３２  第１プーリ（多巻取り部）
７３４  第２プーリ（少巻取り部）
７９０  中間ギア
７９２  太陽歯車
７９４  内歯車
７９６  遊星歯車
７９８  遊星キャリア
【図１】
2020105815.tif 000003
【図２】
2020105815.tif 000004
【図３】
2020105815.tif 000005
【図４】
2020105815.tif 000006
【図５】
2020105815.tif 000007
【図６】
2020105815.tif 000008
【図７】
2020105815.tif 000009
【図８】
2020105815.tif 000010
【図９】
2020105815.tif 000011
【図１０】
2020105815.tif 000012
【図１１】
2020105815.tif 000013
【図１２】
2020105815.tif 000014
【図１３】
2020105815.tif 000015
【図１４】
2020105815.tif 000016
【図１５】
2020105815.tif 000017
【図１６】
2020105815.tif 000018